(57)【特許請求の範囲】
【請求項１】
シングルキャリア方式で少なくとも上り制御チャネルを送信するユーザ装置であって、
下りリンクの無線伝搬状況を示すチャネル状態情報を用意する手段と、
上りデータチャネルの送信用に無線リソースが割り当てられていなかった場合、前記チャネル状態情報を含む上り制御チャネルを所定の専用帯域で送信する送信手段と、
を有し、前記送信手段はスロット期間毎に単位ブロックをNUB個送信し、
システム帯域幅が或る帯域幅より広かった場合、同一スロットの中で同一内容を含むNF個の単位ブロックに乗算されるNF個の因子一組が直交符号系列を表し、１つの単位ブロックを構成するNe個のシンボルエレメントは、前記チャネル状態情報の少なくとも一部を表す、ユーザ装置。
【請求項２】
前記システム帯域幅が或る帯域幅より広くなかった場合、１つの単位ブロックを構成するNe個のシンボルエレメントは、長さがNeである直交符号系列全体に第1因子が乗算されたものを表し、
NF個の単位ブロックに乗算されるNF個の第1因子一組が、前記チャネル状態情報の少なくとも一部を表す、請求項１記載のユーザ装置。
【請求項３】
前記Ne個のシンボルエレメントで表現される直交符号系列が、カザック符号系列である請求項２記載のユーザ装置。
【請求項４】
前記システム帯域幅が或る帯域幅より広かった場合、下りデータチャネルに対する肯定応答又は否定応答を示す送達確認情報が、チャネル状態情報の伝送されるスロットとは別のスロットで伝送される請求項１記載のユーザ装置。
【請求項５】
１つの単位ブロックを構成するNe個のシンボルエレメントは、長さがNeである直交符号系列全体に第1因子及び第２因子が乗算されたものを表し、
NF個の単位ブロックに乗算されるNF個の第1因子一組が、前記送達確認情報を表し、
同一スロットの中で同一内容を含むNF個の単位ブロックに乗算されるNF個の第２因子一組が直交符号系列を表す、請求項３記載のユーザ装置。
【請求項６】
前記Ne個のシンボルエレメントで表現される直交符号系列が、カザック符号系列である請求項５に記載のユーザ装置。
【請求項７】
スロット期間当たり少なくとも１つの単位ブロックでリファレンスシンボルが送信される請求項１記載のユーザ装置。
【請求項８】
前記リファレンスシンボルがカザック符号系列で表現される請求項７記載のユーザ装置。
【請求項９】
チャネル状態情報用の単位ブロック及びリファレンスシンボル用の単位ブロックによるスロット構成と、送達確認情報用の単位ブロック及びリファレンスシンボル用の単位ブロックによるスロット構成とが異なる請求項７記載のユーザ装置。
【請求項１０】
シングルキャリア方式で少なくとも上り制御チャネルを送信する方法であって、
下りリンクの無線伝搬状況を示すチャネル状態情報を用意するステップと、
上りデータチャネルの送信用に無線リソースが割り当てられていなかった場合、前記チャネル状態情報を含む上り制御チャネルを所定の専用帯域で送信する送信ステップと、
を有し、前記送信ステップではスロット期間毎に単位ブロックをNUB個送信し、
システム帯域幅が或る帯域幅より広かった場合、同一スロットの中で同一内容を含むNF個の単位ブロックに乗算されるNF個の因子一組が直交符号系列を表し、１つの単位ブロックを構成するNe個のシンボルエレメントは、前記チャネル状態情報の少なくとも一部を表す、方法。
【請求項１１】
シングルキャリア方式で少なくとも上り制御チャネルを受信する基地局装置であって、
上りデータチャネルの送信用に無線リソースが割り当てられていなかった場合、チャネル状態情報を含む上り制御チャネルを所定の専用帯域で受信する受信手段と、
前記上り制御チャネルから、下りリンクの無線伝搬状況を示すチャネル状態情報を取り出す手段と、
を有し、前記受信手段はスロット期間毎に単位ブロックをNUB個受信し、
システム帯域幅が或る帯域幅より広かった場合、同一スロットの中で同一内容を含むNF個の単位ブロックに乗算されるNF個の因子一組が直交符号系列を表し、１つの単位ブロックを構成するNe個のシンボルエレメントは、前記チャネル状態情報の少なくとも一部を表す、基地局装置。
【請求項１２】
前記システム帯域幅が或る帯域幅より広くなかった場合、１つの単位ブロックを構成するNe個のシンボルエレメントは、長さがNeである直交符号系列全体に第1因子が乗算されたものを表し、
NFの単位ブロックに乗算されているNF個の第1因子一組が、前記チャネル状態情報の少なくとも一部を表す、請求項１１記載の基地局装置。
【請求項１３】
前記Ne個のシンボルエレメントで表現される直交符号系列が、カザック符号系列である請求項１２記載の基地局装置。
【請求項１４】
前記システム帯域幅が或る帯域幅より広かった場合、下りデータチャネルに対する肯定応答又は否定応答を示す送達確認情報が、チャネル状態情報の伝送されるスロットとは別のスロットで伝送される請求項１１記載の基地局装置。
【請求項１５】
１つの単位ブロックを構成するNe個のシンボルエレメントは、長さがNeである直交符号系列全体に第1因子及び第２因子が乗算されたものを表し、
NF個の単位ブロックに乗算されているNF個の第1因子一組が、前記送達確認情報を表し、
同一スロットの中で同一内容を含むNF個の単位ブロックに乗算されるNF個の第２因子一組が直交符号系列を表す、請求項１２記載の基地局装置。
【請求項１６】
前記Ne個のシンボルエレメントで表現される直交符号系列が、カザック符号系列である請求項１５に記載の基地局装置。
【請求項１７】
スロット期間当たり少なくとも１つの単位ブロックでリファレンスシンボルが送信される請求項１１記載の基地局装置。
【請求項１８】
前記リファレンスシンボルがカザック符号系列で表現される請求項１７記載の基地局装置。
【請求項１９】
チャネル状態情報用の単位ブロック及びリファレンスシンボル用の単位ブロックによるスロット構成と、送達確認情報用の単位ブロック及びリファレンスシンボル用の単位ブロックによるスロット構成とが異なる請求項１７記載の基地局装置。
【請求項２０】
シングルキャリア方式で少なくとも上り制御チャネルを受信する方法であって、
上りデータチャネルの送信用に無線リソースが割り当てられていなかった場合、チャネル状態情報を含む上り制御チャネルを所定の専用帯域で受信する受信ステップと、
前記上り制御チャネルから、下りリンクの無線伝搬状況を示すチャネル状態情報を取り出すステップと、
を有し、前記受信ステップではスロット期間毎に単位ブロックをNUB個受信し、
システム帯域幅が或る帯域幅より広かった場合、同一スロットの中で同一内容を含むNF個の単位ブロックに乗算されるNF個の因子一組が直交符号系列を表し、１つの単位ブロックを構成するNe個のシンボルエレメントは、前記チャネル状態情報の少なくとも一部を表す、方法。
【請求項２１】
シングルキャリア方式で少なくとも上り制御チャネルが伝送される移動通信システムであって、１つ以上のユーザ装置及び１つ以上の基地局装置を含み、前記ユーザ装置の各々は、
下りリンクの無線伝搬状況を示すチャネル状態情報を用意する手段と、上りデータチャネルの送信用に無線リソースが割り当てられていなかった場合、前記チャネル状態情報を含む上り制御チャネルを所定の専用帯域で送信する送信手段とを有し、
前記送信手段はスロット期間毎に単位ブロックをNUB個送信し、
システム帯域幅が或る帯域幅より広かった場合、同一スロットの中で同一内容を含むNF個の単位ブロックに乗算されるNF個の因子一組が直交符号系列を表し、１つの単位ブロックを構成するNe個のシンボルエレメントは、前記チャネル状態情報の少なくとも一部を表し、
前記基地局装置の各々は、上りデータチャネルの送信用に無線リソースが割り当てられていなかった場合、チャネル状態情報を含む上り制御チャネルを所定の専用帯域で受信する受信手段と、前記上り制御チャネルから、下りリンクの無線伝搬状況を示すチャネル状態情報を取り出す手段と、
を有する移動通信システム。
【請求項２２】
シングルキャリア方式で少なくとも上り制御チャネルを送信するユーザ装置であって、
所定の頻度で基地局装置に報告される第１制御情報を用意する手段と、
前記第１制御情報とは異なる第２制御情報を用意する手段と、
上りデータチャネルの送信用に無線リソースが割り当てられていなかった場合、前記第１及び第２制御情報の少なくとも一方を含む上り制御チャネルを所定の専用帯域で送信する送信手段と、
を有し、前記送信手段はスロット期間毎に単位ブロックをNUB個送信し、
第１のスロット中で同一内容を含むNF個の単位ブロックに乗算されるNF個の因子一組が直交符号系列を表し、
前記第１のスロットに含まれる単位ブロックを構成するNe個のシンボルエレメントは、前記第１制御情報の少なくとも一部を表し、
第２のスロットに含まれる単位ブロックを構成するNe個のシンボルエレメントは、長さがNeである直交符号系列全体に第1因子及び第２因子が乗算されたものを表し、
NF個の単位ブロックに乗算されているNF個の第1因子一組が、前記第２制御情報を表し、
前記第２のスロットの中でNF個の単位ブロックに乗算されるNF個の第２因子一組が直交符号系列を表す、ユーザ装置。
【請求項２３】
シングルキャリア方式で少なくとも上り制御チャネルを受信する基地局装置であって、
上りデータチャネルの送信用に無線リソースが割り当てられていなかった場合、第１及び第２制御情報の少なくとも一方を含む上り制御チャネルを所定の専用帯域で受信する受信手段と、
前記上り制御チャネルから、所定の頻度でユーザ装置から報告された第１制御情報を取り出す手段と、
前記第１制御情報とは異なる第２制御情報を取り出す手段と、
を有し、前記受信手段はスロット期間毎に単位ブロックをNUB個受信し、
第１のスロットの中で同一内容を含むNF個の単位ブロックに乗算されるNF個の因子一組が直交符号系列を表し、
前記第１のスロットに含まれる単位ブロックを構成するNe個のシンボルエレメントは、前記第１制御情報の少なくとも一部を表し、
第２のスロットに含まれる単位ブロックを構成するNe個のシンボルエレメントは、長さがNeである直交符号系列全体に第1因子及び第２因子が乗算されたものを表し、
NF個の単位ブロックに乗算されているNF個の第1因子一組が、前記第２制御情報を表し、
前記第２のスロットの中でNF個の単位ブロックに乗算されるNF個の第２因子一組が直交符号系列を表す、基地局装置。
【発明の詳細な説明】
【技術分野】
【０００１】
本発明は上りリンクで制御チャネルを伝送する移動通信システム、基地局装置、ユーザ装置及び方法に関する。
【背景技術】
【０００２】
現在Ｗ−ＣＤＭＡの標準化団体３ＧＰＰにより、Evolved  UTRA又はロングタームエボリューション(LTE:  Long  Term  Evolution)システムの検討が進められている。LTEシステムは、ワイドバンド符号分割多重接続(Ｗ−ＣＤＭＡ)方式、高速ダウンリンクパケットアクセス(ＨＳＤＰＡ)方式、高速アップリンクパケットアクセス（ＨＳＵＰＡ）方式等の後継となる通信方式のシステムである。ＬＴＥシステムでは、下りリンクについて直交周波数分割多重接続(OFDM:  Orthogonal  Frequency  Division  Multiplexing)方式が使用され、上りリンクについてはシングルキャリア周波数分割多重接続(SC-FDMA:  Single-Carrier  Frequency  Division  Multiple  Access)方式が使用される（これについては例えば、非特許文献１参照）。
【０００３】
ＬＴＥシステムでは、下りリンク及び上りリンク両方において、ユーザ装置（UE:  User  Equipment）に１つ以上のリソースブロックを割り当てることで通信が行われる。リソースブロックはシステム内の多数のユーザ装置で共有される。基地局は、ＬＴＥでは１ｍｓであるサブフレーム（Sub-frame）毎に複数のユーザ装置の中でどのユーザ装置にリソースブロックを割り当てるかを決定する（このプロセスはスケジューリングと呼ばれる）。サブフレームは、送信時間間隔(ＴＴＩ)と呼ばれてもよい。更にサブフレームは複数個（例えば２つ）のスロットを含む。下りリンクにおいては、基地局は、スケジューリングで選択されたユーザ装置宛に、１以上のリソースブロックで共有チャネルを送信する。この共有チャネルは、下り物理共有チャネル(PDSCH:  Physical  Downlink  Shared  CHannel)と呼ばれる。上りリンクにおいては、スケジューリングで選択されたユーザ装置が、基地局に対して１以上のリソースブロックで共有チャネルを送信する。この共有チャネルは、上り物理共有チャネル(PUSCH:  Physical  Uplink  Shared  CHannel)と呼ばれる。
【０００４】
共有チャネルを用いた通信システムでは、サブフレーム毎に、どのユーザ装置に対して上記共有チャネルを割り当てるかをシグナリング（通知）する必要がある。このシグナリングに用いられる制御チャネルは、ＬＴＥでは、下り物理制御チャネル（PDCCH:  Physical  Downlink  Control  Channel)または下りＬ１／Ｌ２制御チャネル(DL-L1/L2 Control Channel）と呼ばれる。物理下りリンク制御チャネルＰＤＣＣＨには、例えば、下りスケジューリング情報 (Downlink  Scheduling  Information)、送達確認情報(ACK/NACK:  Acknowledgement  information)、上りスケジューリング情報 (Uplink  Scheduling  Grant)、オーバロードインジケータ(Overload  Indicator)、送信電力制御コマンドビット(TPCコマンドビット:  Transmission  Power  Control  Command  Bit)等が含まれてよい。
【０００５】
図１は、上りリンクで使用されるフレーム構成を示し、サブフレーム、スロット、PUSCH及びPUCCHの相互関係を示す。上りリンクで伝送されるL1/L2制御信号は、上り物理共有チャネル(PUSCH)が送信される場合にはPUSCHに割り当てられたリソースで伝送され、そうでなければ制御信号専用のリソースで伝送される。前者はPUSCHに使用された上りスケジューリング情報を含む。後者は上り物理制御チャネル(PUCCH:  Physical  Uplink  Control  CHannel)と呼ばれる。上りリンクの制御チャネルには、下りリンクの品質情報(CQI:  Channel  Quality  Indicator)及び物理下りリンク共有チャネルの送達確認情報(ACK/NACK)等が伝送される。ＣＱＩは、下りリンクにおける共有物理チャネルのスケジューリング処理や適応変復調及び符号化処理(AMCS:  Adaptive  Modulation  and  Coding  Scheme)等に使用される。送達確認情報の内容は、過去に受信したPDSCHが適切に受信されたことを示す肯定応答(ＡＣＫ)又はそれが適切に受信されなかったことを示す否定応答(ＮＡＣＫ)の何れかで表現される。PUCCHの帯域幅自体は狭いが、サブフレームの中で周波数ホッピングしながら伝送されるので、周波数ダイバーシチ効果による高品質化を図ることができる。
【０００６】
PUCCHの占める帯域幅が大きいと、上り物理共有データチャネルPUSCHを伝送するリソースが小さくなってしまうので、スループットを向上させる観点からはシステム帯域に対するPUCCHの占める割合は小さい方がよい。一方、上り物理共有データチャネルPUSCHを伝送しない多数のユーザは、そのPUCCHでCQIやACK/NACKを送信しなければならない。従ってCQIやACK/NACKを基地局に速やかに報告できるようにする観点からは、PUCCH用の無線リソースは多い方が好ましい。このため、多くのユーザが効率的にPUCCHを利用できるように工夫しなければならいが、PUCCHでCQIやACK/NACKを具体的にどのようにマッピングし、複数のユーザをどのように多重するかについては十分に検討されていないようである。
【非特許文献１】3GPP TS  36.211(V8.0.0),  Sept  2007
【発明の開示】
【発明が解決しようとする課題】
【０００７】
本発明の課題は、チャネル状態情報CQI及び送達確認情報ACK/NACKを上り物理制御チャネルPUCCHで高効率に伝送することである。
【課題を解決するための手段】
【０００８】
本発明の一形態によるユーザ装置は、
シングルキャリア方式で少なくとも上り制御チャネルを送信するユーザ装置であって、
下りリンクの無線伝搬状況を示すチャネル状態情報を用意する手段と、
上りデータチャネルの送信用に無線リソースが割り当てられていなかった場合、前記チャネル状態情報を含む上り制御チャネルを所定の専用帯域で送信する送信手段と、
を有し、前記送信手段はスロット期間毎に単位ブロックをNUB個送信し、
システム帯域幅が或る帯域幅より広かった場合、同一スロットの中で同一内容を含むNF個の単位ブロックに乗算されるNF個の因子一組が直交符号系列を表し、１つの単位ブロックを構成するNe個のシンボルエレメントは、前記チャネル状態情報の少なくとも一部を表す、ユーザ装置である。
【発明の効果】
【０００９】
本発明によれば、チャネル状態情報CQI及び送達確認情報ACK/NACKを上り物理制御チャネルPUCCHで高効率に伝送することができる。
【発明を実施するための最良の形態】
【００１０】
本発明の一形態では、システム帯域幅が所定値より広かった場合、PUCCHの同一スロットの中で同一内容を含む所定数個の単位ブロックに乗算される所定数個の因子一組が直交符号系列を表し、１つの単位ブロックを構成する所定数個のシンボルエレメントは、前記チャネル状態情報の少なくとも一部を表すようにしている。
【００１１】
システム帯域幅が所定値より広くなかった場合、１つの単位ブロックを構成する所定数個のシンボルエレメントは、所定長の直交符号系列全体に第1因子が乗算されたものを表し、所定数個の単位ブロックに乗算される所定数個の第1因子一組が、チャネル状態情報の少なくとも一部を表してもよい。
【００１２】
所定数個のシンボルエレメントで表現される直交符号系列は、カザック符号系列でもよい。
【００１３】
システム帯域幅が所定値より広かった場合、下りデータチャネルに対する肯定応答又は否定応答を示す送達確認情報が、チャネル状態情報の伝送されるスロットとは別のスロットで伝送されてもよい。
【００１４】
１つの単位ブロックを構成する所定数個のシンボルエレメントは、所定長の直交符号系列全体に第1因子及び第２因子が乗算されたものを表してもよい。所定数個の単位ブロックに乗算される所定数個の第1因子一組は、送達確認情報を表してもよい。同一スロットの中で同一内容を含む所定数個の単位ブロックに乗算される所定数個の第２因子一組は、直交符号系列を表すようにしてもよい。
【００１５】
スロット期間当たり少なくとも１つの単位ブロックでリファレンスシンボルが送信されてもよい。リファレンスシンボルは、カザック符号系列で表現されてもよい。
【００１６】
チャネル状態情報用の単位ブロック及びリファレンスシンボル用の単位ブロックによるスロット構成と、送達確認情報用の単位ブロック及びリファレンスシンボル用の単位ブロックによるスロット構成とは異なっていてもよい。
【００１７】
本発明の一形態では、シングルキャリア方式で少なくとも上り制御チャネルを受信する基地局装置が使用される。基地局装置は、上りデータチャネルの送信用に無線リソースが割り当てられていなかった場合、チャネル状態情報を含む上り制御チャネルを所定の専用帯域で受信する受信手段と、前記上り制御チャネルから、下りリンクの無線伝搬状況を示すチャネル状態情報を取り出す手段とを有する。前記受信手段はスロット期間毎に単位ブロックを所定数個受信する。システム帯域幅が所定値より広かった場合、同一スロットの中で同一内容を含む所定数個の単位ブロックに乗算される所定数個の因子一組が直交符号系列を表し、１つの単位ブロックを構成する所定数個のシンボルエレメントは、前記チャネル状態情報の少なくとも一部を表す。
【００１８】
本発明の一形態では、シングルキャリア方式で少なくとも上り制御チャネルを送信するユーザ装置が使用される。ユーザ装置は、所定の頻度で基地局装置に報告される第１制御情報を用意する手段と、前記第１制御情報とは異なる第２制御情報を用意する手段と、上りデータチャネルの送信用に無線リソースが割り当てられていなかった場合、前記第１及び第２制御情報の少なくとも一方を含む上り制御チャネルを所定の専用帯域で送信する送信手段とを有する。前記送信手段はスロット期間毎に単位ブロックを所定数個送信する。第１のスロット中で同一内容を含む所定数個の単位ブロックに乗算される所定数個の因子一組が直交符号系列を表す。前記第１のスロットに含まれる単位ブロックを構成する所定数個のシンボルエレメントは、前記第１制御情報の少なくとも一部を表す。第２のスロットに含まれる単位ブロックを構成する所定数個のシンボルエレメントは、所定長の直交符号系列全体に第1因子及び第２因子が乗算されたものを表す。所定数個の単位ブロックに乗算されている所定数個の第1因子一組が、前記第２制御情報を表す。前記第２のスロットの中で同一内容を含む所定数個の単位ブロックに乗算される所定数個の第２因子一組が直交符号系列を表す。
【００１９】
本発明の一形態では、シングルキャリア方式で少なくとも上り制御チャネルを受信する基地局装置が使用される。基地局装置は、上りデータチャネルの送信用に無線リソースが割り当てられていなかった場合、第１及び第２制御情報の少なくとも一方を含む上り制御チャネルを所定の専用帯域で受信する受信手段と、前記上り制御チャネルから、所定の頻度でユーザ装置から報告された第１制御情報を取り出す手段と、前記第１制御情報とは異なる第２制御情報を取り出す手段とを有する。前記受信手段はスロット期間毎に単位ブロックを所定数個受信する。第１のスロットの中で同一内容を含む所定数個の単位ブロックに乗算される所定数個の因子一組が直交符号系列を表す。前記第１のスロットに含まれる単位ブロックを構成する所定数個のシンボルエレメントは、前記第１制御情報の少なくとも一部を表す。第２のスロットに含まれる単位ブロックを構成する所定数個のシンボルエレメントは、所定長の直交符号系列全体に第1因子及び第２因子が乗算されたものを表し、所定数個の単位ブロックに乗算されている所定数個の第1因子一組が、前記第２制御情報を表す。前記第２のスロットの中で同一内容を含む所定数個の単位ブロックに乗算される所定数個の第２因子一組が直交符号系列を表す。
【００２０】
発明の理解を促すため具体的な数値例を用いて説明がなされるが、特に断りのない限り、それらの数値は単なる一例に過ぎず適切な如何なる値が使用されてもよい。
【実施例１】
【００２１】
＜サブフレーム構成＞
本実施例では上り物理制御チャネルPUCCHの伝送に例えば1msのサブフレームが使用される。サブフレームは0.5msスロット２つに分けられる。１スロットは単位ブロックを７つ含む。１つの単位ブロックは１２個のシンボルエレメントで構成される。PUCCHのデータ変調方式として例えばQPSKが使用されるとすると、１シンボルエレメントは２ビットの情報量に対応する。単位ブロックは、シングルキャリア周波数分割多元接続シンボル(SC-FDMAシンボル)と言及されてもよい。
【００２２】
本実施例では、送達確認情報ACK/NACKを基地局に送信するときに使用するサブフレーム構成（スロット構成）では、スロット先頭から３つ目乃至５つ目の単位ブロックにリファレンスシンボル(RS:  Reference  Symbol)が含められ、スロット中他の単位ブロック（第１，第２，第４及び第５の単位ブロック）に送達確認情報が含められる。このようなスロットが１つのサブフレームの中で２回反復され、このサブフレーム構成がサブフレーム毎に反復される。
【００２３】
チャネル状態情報CQIを基地局に送信するときに使用するサブフレーム構成（スロット構成）では、スロット先頭から２つ目及び６つ目の単位ブロックにリファレンスシンボル(RS)が含められ、スロット中他の単位ブロック（第１，第３乃至第５及び第７の単位ブロック）にチャネル状態情報が含められる。このようなスロットが１つのサブフレームの中で２回反復され、このサブフレーム構成がサブフレーム毎に反復される。
【００２４】
このように本実施例では、送達確認情報ACK/NACK用のサブフレーム構成とチャネル状態情報CQI用のサブフレーム構成は異なる。
【００２５】
＜CAZAC系列の巡回シフト量による直交多重法＞
PUCCHの中で複数のユーザを多重する場合、様々な多重法が考えられる。これらの内、ユーザ多重数を多く確保すること及び強い直交性を維持すること等の観点から、２つの方法が有望である。１つは直交符号系列(カザック符号系列)を用いた直交多重法であり、１つはブロック拡散符号系列による直交多重法である。
【００２６】
図３はカザック(CAZAC:  Constant  Amplitude  Zero  Auto  Correlation)符号系列の巡回シフト量を利用した直交多重法を示す。良く知られているように、符号長Lのカザック符号系列CAZAC#1(Δ=0)と、そのカザック符号系列をΔ（１≦Δ≦L-1）だけ巡回シフトして得られた系列CAZAC#1(Δ=Δ)は、互いに直交する。従って符号長Lのカザック符号系列CAZAC#1と、その系列から巡回シフトにより得られる系列：CAZAC#1(Δ=０)、CAZAC#1(Δ=１)、CAZAC#1(Δ=２)、・・・CAZAC#1(Δ=L-1)は、L個の直交符号系列群を形成する。但し、通常の直交符号系列と異なり、符号長Lのカザック系列CAZAC#1と、符号長Lの何らかの符号系列とを乗算した系列は、もはやカザック符号系列としての性質を示さなくなってしまう。しかしながら、符号長Lのカザック符号系列CAZAC#1全体に１つの因子が乗算されているにすぎないならば、カザック符号系列としての性質は失われない。
【００２７】
図３に示される例では、系列は同じであるが巡回シフト量の異なるカザック符号系列CAZAC#1(Δ=ΔA)及びCAZAC#1(Δ=ΔA)が、ユーザＡ（ＵＥ＿Ａ）及びユーザＢ（ＵＥ＿Ｂ）に割り当てられる。１つの単位ブロックに１つのカザック符号系列が対応付けられ、単位ブロックを構成する例えば１２個のシンボルエレメントが、符号長１２のカザック符号系列に関連付けられる。
【００２８】
(a)に示される例では、dA1,dA2,dA3,dA4の1つ以上が、ユーザＡが基地局に報告する送達確認情報ACK/NACKを表現する。例えば、dA1=dA2=dA3=dA4=1がACKを表現し、dA1=dA2=dA3=dA4=−1がNACKを表現してもよい。ACK/NACKの表現方法はこれに限定されず、適切な如何なる方法で表現されてもよい。
【００２９】
(b)に示される例では、dB1,dB2,dB3,dB4の1つ以上が、ユーザＢが基地局に報告する送達確認情報ACK/NACKを表現する。
【００３０】
(c)に示される例では、dA1,dA2,dA3,dA4,dA5の1つ以上が、ユーザＡが基地局に報告するチャネル状態情報CQIを表現する。
【００３１】
(d)に示される例では、dB1,dB2,dB3,dB4,dB5の1つ以上が、ユーザＢが基地局に報告するチャネル状態情報CQIを表現する。
【００３２】
カザック符号系列の直交性を利用することで、ACK/NACKに関し、ユーザＡの信号(a)とユーザＢの信号(b)は同じ周波数で同時に伝送されたとしても直交性を保ったまま符号多重できる。また、CQIに関し、ユーザＡの信号(c)とユーザＢの信号(d)は同じ周波数で同時に伝送されたとしても直交性を保ったまま符号多重できる。好適実施例ではリファレンスシンボルもカザック符号系列で表現される。従って、スロット構成の異なる信号についても直交多重を行うことができる。具体的には、ユーザＡの信号((a)又は(c))とユーザＢの信号((b)又は(d))についても、同じ周波数で同時に伝送されたとしても直交性を保ったまま符号多重できる。
【００３３】
＜ブロック拡散符号系列による直交多重法＞
図４はブロック拡散符号系列による直交多重法を示す。図３に示される方法とは異なり、リファレンスシンボルを含まない単位ブロックが、送達確認情報ACK/NACK（(a),(b)の場合）又はチャネル状態情報CQI（(c),(d)の場合）を表す。スロットを構成する単位ブロックの内、リファレンスシンボル以外の単位ブロックは同一内容を含む。これらの複数の単位ブロック各々に乗算される因子一組は、ある直交符号系列を表す。
【００３４】
(a)に示される例の場合、単位ブロックを構成する１２個のシンボルエレメントが、ユーザＡのACK/NACKを表すビット系列を表現する。ACK/NACKを表すビット系列の長さは、DA={dA1,dA2,…,dA12}のように図示の例では１２であるが、適切な如何なるなビット系列長で表現されてもよい。DAで示されている単位ブロックは同一内容を表す。図示の４つの単位ブロックには(CA1, CA2, CA3, CA4)の組一式で表現される直交符号系列が乗算される。
【００３５】
(b)に示される例の場合、単位ブロックを構成する１２個のシンボルエレメントが、ユーザＢのACK/NACKを表すビット系列を表現する。DBで示されている単位ブロックは同一内容を表す。図示の４つの単位ブロックには(CB1, CB2, CB3, CB4)の組一式で表現される直交符号系列が乗算される。従って、ユーザＡの信号(a)とユーザＢの信号(b)は同じ周波数で同時に伝送されたとしても直交性を保ったまま符号多重できる。
【００３６】
(c)に示される例の場合、単位ブロックを構成する１２個のシンボルエレメントが、ユーザＡのCQIを表すビット系列を表現する。CQIを表すビット系列の長さは、DA={dA1,dA2,…,dA12}のように図示の例では１２であるが、適切な如何なるビット系列長で表現されてもよい。一般に、CQIは下りリファレンスシンボルの受信品質SINRをいくつかのレベルに量子化することで表現される。受信品質SINRを表現するビット数や量子化レベル数には適切な如何なる数が使用されてもよい。ユーザ装置が基地局装置に報告するCQIは、ユーザ装置で測定されたCQIそのものでもよいし、測定されたCQIのいくつかの上位ビットだけでもよい。DAで示されている単位ブロックは同一内容を表す。図示の４つの単位ブロックには(CA1, CA2, CA3, CA4)の組一式で表現される直交符号系列が乗算される。
【００３７】
(d)に示される例の場合、単位ブロックを構成する１２個のシンボルエレメントが、ユーザＢのCQIを表すビット系列を表現する。DＢで示されている単位ブロックは同一内容を表す。図示の４つの単位ブロックには(CB1, CB2, CB3, CB4)の組一式で表現される直交符号系列が乗算される。従って、ユーザＡの信号(a)とユーザＢの信号(b)は同じ周波数で同時に伝送されたとしても直交性を保ったまま符号多重できる。
【００３８】
＜CAZAC系列及びブロック拡散符号系列による直交多重法＞
図３に関して説明されたカザック符号系列を用いた直交多重法と、図４に関して説明されたブロック拡散符号系列による直交多重法とを組み合わせることも可能である。
【００３９】
図５はそのような組み合わせの例を示す。図中の記号は図３及び図４で使用されたものと同じである。制御情報（図５ではACK/NACK）は、単位ブロック全体に乗算される因子の１つ以上で表現される。このようにすると、カザック符号系列による直交性に加えて、ブロック拡散符号による直交性をも発揮でき、ユーザ毎の信号をよりいっそう簡易且つ高品質に分離できるようになる。その結果、伝送される制御情報の高品質化を更に図ることができる。
【００４０】
＜適切な直交多重法＞
図６はPUCCHの中で複数のユーザの信号を多重するのに使用される直交多重法を示す。上述したようにPUCCHでは主に送達確認情報ACK/NACK及び／又はチャネル状態情報CQIが伝送される。
【００４１】
送達確認情報ACK/NACKは、過去に受信した下り物理共有チャネルが適切に受信できたか否かを示し、再送制御で特に重要な情報である。再送制御はシステムのスループットに直接的に大きく影響するので、できるだけ高品質に伝送されることが望ましい。一方、送達確認情報は肯定応答(ACK)又は否定応答(NACK)の何れかで表現され、本質的には１ビットで表現できる。従って冗長度を増やして誤り訂正符号化利得を高めるよりも、直交性を強化した方が高品質化を期待できるかもしれない。このような観点から、本実施例では、送達確認情報ACK/NACKのユーザ多重法については、カザック符号系列の巡回シフト量による直交多重法とブロック拡散符号系列による直交多重法とを併用した方法（図５）が使用される。
【００４２】
チャネル状態情報CQIのユーザ多重法は、システム帯域の広狭に応じて、ブロック拡散符号系列による多重法及びカザック符号系列による多重法が使い分けられる。この点、そのような使い分けを意図していない従来の方法と大きく異なる。
【００４３】
一般に、多ビットの情報を伝送する場合、セルのカバレッジを広くする観点からは、誤り訂正符号化の符号化利得の大きい方が好ましい。誤り訂正符号化利得が大きいと、所要品質を達成するのに必要な送信電力は少なくて済むが、誤り訂正符号化利得が小さいと、より強い電力で送信しなければ所要品質を達成できなくなるからである。そこで、誤り訂正符号化利得の観点から、カザック符号系列による多重法及びブロック拡散符号系列による多重法を比較する。
【００４４】
カザック符号系列による多重法の場合（図３）、チャネル状態情報CQIは単位ブロックに乗算される因子で表現される。CQIの伝送に使用できる単位ブロック数は、１スロット中に５個、１サブフレーム中に１０個ある。従って或るCQIを伝送するのに１０個の因子(d1,...,d10)を利用できる。１つの因子を２ビットに対応させたとすると（QPSK方式の場合）、１０個×２ビット／個＝２０ビットを１サブフレームで使用することができる。
【００４５】
ブロック拡散符号系列による多重法の場合（図４）、チャネル状態情報CQIは単位ブロック中のシンボルエレメントで表現される。１つのスロットの中には１種類の単位ブロックしかなく、１サブフレームの中には２種類の単位ブロックが含まれる（単位ブロック数は１０個であるが、同一内容の５つの単位ブロックが２組含まれている。）。１つの単位ブロックには１２個のシンボルエレメントが含まれているので、２種類×１２個／単位ブロック＝２４個のシンボルエレメントがCQIを表現するのに使用できる。上記と同様に、１つのシンボルエレメントを２ビットに対応させたとすると（QPSK方式の場合）、２４個×２ビット／個＝４８ビットを１サブフレームで使用することができる。
【００４６】
CQIの値を表現するのに１０ビット必要であったとすると、カザック符号系列による多重法の場合、符号化利得は、２０／１０＝２．０になる。ブロック拡散符号系列による多重法の場合、符号化利得は、４８／１０＝４．８になる。従ってこのような数値例の場合、符号化利得の観点（又は信頼性を向上させる観点）からは、ブロック拡散符号系列による多重法の方が有利である。
【００４７】
一方、ブロック拡散符号系列による多重法の場合、サブフレーム構成が同じならば各ユーザの信号は互いに直交する（図４の(a)と(b)、又は(c)と(d)）。しかしながらサブフレーム構成が異なる場合、各ユーザの信号は互いに直交する関係にはならない（図４の(a)と(d)、又は(b)と(c)）。この点、カザック符号系列による多重法と異なる。従ってブロック拡散符号系列による直交多重法の場合、異なるサブフレーム構成の信号は、同じ周波数で同時に伝送しない方がよい。このため、本実施例では、図７右側に示されるように、ブロック拡散符号系列による多重法を用いてCQIを伝送するためのスロットと、ACK/NACKを伝送するためのスロットとを別々に用意し、それらが同一周波数で同時には伝送されないようにする。
【００４８】
他方、システム帯域幅は全ての地域で固定されているわけではないので、システム帯域幅の広い地域もあれば、狭い地域もある。従って、CQIを伝送するためのスロットと、ACK/NACKを伝送するためのスロットとをPUCCHで別々に用意できる程度にシステム帯域幅が広い場合、上記のような多重法が好ましい。しかしながら、CQI用のスロットとACK/NACK用のスロットをPUCCHで別々に用意するには、図７右側のように例えば左右２リソースブロック分の帯域をPUCCH用に専用に確保しなければならない。
【００４９】
システム帯域に含まれる全リソースブロック数が図７右側のように２５個もあれば、その内２つをPUCCHに割り当てたとしても、上り物理共有データチャネルPUSCHのリソースが大きく減ることにはならない。しかしながら、システム帯域に含まれる全リソースブロック数が図７左側に示されるように６個しかないかもしれない。６リソースブロックの内２つをPUCCHに割り当ててしまうと、全体域の２／６＝１／３ものリソースがPUCCHに割り当てられることになり、上り物理共有データチャネルのスループットを図る観点からは極めて好ましくない。
【００５０】
このため、本実施例ではシステム帯域幅が比較的狭い場合には、CQIを伝送するユーザの信号は、カザック符号系列を用いて多重される。上述したようにカザック符号系列による多重法では、サブフレーム構成が異なっていたとしても、各ユーザの信号を直交多重することができるので、図７左側に示されるように、それらを同じ専用帯域で同時に送信してよい。これにより、６リソースブロックの内、PUCCHには１リソースブロックしか割り当てなくてよくなる。システム帯域幅が広いか狭いかは適切な如何なる方法で決められてもよい。例えばシステム帯域幅と或る閾値とを比較することで、システム帯域幅の広狭ひいては直交多重法が確認されてもよい。
【００５１】
上記のような考察から図６に示されるように直交多重法が使い分けられる。しかしながら、上記の符号化利得に関する考察は、サブフレーム構成や単位ブロック構成に依存する。上記の考察を更に一般化すると、１サブフレーム中の単位ブロック数NBlock、１サブフレーム中のスロット数Nslot、単位ブロックを構成するシステムエレメント数Nelementの相互関係により、CQIを伝送する信号の直交多重法が使い分けられてもよい。例えば、
NBlock＜Nslot×Nelement
ならば、図６に示されるように、システム帯域の広い場合、ブロック拡散符号系列による直交多重法を使用することが望ましい。上記の数値例は、この関係式を満たす（１０＜２×１２）。逆に、
NBlock＞Nslot×Nelement
ならば、システム帯域の広狭によらず、カザック符号系列による直交多重法を使用した方がよいかもしれない。例えば、単位ブロックを構成するシステムエレメント数Nelementが１２でなく４であった場合、そのような関係になる（１０＞２×４）。
【００５２】
単位ブロックを構成するシステムエレメント数Nelementが５であった場合、符号化利得の観点からは優劣がつかなくなるので、別の観点から直交多重法を決定した方がよい。
【００５３】
＜ユーザ装置＞
図８は本発明の一実施例で使用されるユーザ装置の機能ブロック図を示す。図８はPUCCHでACK/NACKを示す制御情報を送信するユーザ装置を示す。図９はPUCCHでCQIを示す制御情報を送信するユーザ装置を示す。図８，図９は別々のユーザ装置を示すわけではなく、装置構成としては双方の機能（送達確認情報を処理する機能及びチャネル状態情報を処理する機能）を備えているが、図示の便宜上分けられているにすぎない。図８，図９に関し、同様な要素には同じ参照番号が付されている。図８，図９に示される要素の各々は機能を示すにすぎず、各機能ブロックの１つ以上が、ハードウエア素子として実現されてもよいし、ソフトウエアで実現されてもよいし、それら双方で実現されてもよい。
【００５４】
図８には、OFDM信号復調部８０２、下り制御信号復号部８０４、ACK/NACK判定部８０６、ACK/NACK用の制御情報処理ブロック８１０、リファレンス信号用の処理ブロック８２０、時間多重部８３０が描かれている。ACK/NACK用の制御情報処理ブロック８１０には、CAZAC符号の生成部８１１、ブロック毎の変調部８１２、離散フーリエ変換部８１３、サブキャリアマッピング部８１４、逆高速フーリエ変換部８１５、巡回シフト部８１６、ブロック拡散部８１７、CP付与部８１８が含まれる。リファレンス信号用の処理ブロック８２０には、CAZAC符号の生成部８２１、離散フーリエ変換部８２３、サブキャリアマッピング部８２４、逆高速フーリエ変換部８２５、巡回シフト部８２６、ブロック拡散部８２７、CP付与部８２８が含まれる。
【００５５】
OFDM信号復調部８０２は、OFDM方式で変調されている受信信号を復調し、報知チャネル、下り制御チャネル(L1/L2制御チャネル)、下り物理共有データチャネルPDSCHを取り出す。
【００５６】
下り制御信号復号部８０４は、報知チャネル及び／又はL1/L2制御チャネルに含まれている情報を復号し、PUCCHに関する情報が導出される。その情報には、ユーザ装置に割り当てられたカザック符号系列の系列番号及び巡回シフト量、リソースブロック番号、ブロック拡散符号系列等を示す情報が含まれていてよい。
【００５７】
ACK/NACK判定部８０６は、受信した下り物理共有データチャネルPDSCHが誤りなく受信できたか否か又は誤りがあったとしても許容範囲か否かを判定し、判定結果を出力する。判定結果は肯定応答(ACK)又は否定応答(NACK)を表す送達確認情報で表現される。否定応答は再送制御における再送を促すよう機能する。ACK/NACKは原理的には１ビットで表現できるかもしれないが、より多くのビット系列で表現されてもよい。説明の便宜上、ACK/NACKは一般的にd1,d2,…,d8のビット系列で表現されるものとする。
【００５８】
ACK/NACK用の制御情報処理ブロック８１０は、送達確認情報ACK/NACKをPUCCHに含めるための処理を行う。本実施例では、ACK/NACKを示す制御情報は、カザック符号系列及びブロック拡散符号系列双方を利用してユーザ間で直交多重される。
【００５９】
CAZAC符号の生成部８１１は、ユーザ装置に割り当てられているカザック符号系列を用意する。カザック符号系列は、系列番号で指定される。
【００６０】
ブロック毎の変調部８１２では、カザック符号系列を構成する所定数個の符号各々に同じ因子di(i=1,2,...)を乗算して１つの単位ブロックを用意することを、所定の回数だけ繰り返すことで１サブフレーム分の単位ブロックを用意する。カザック符号系列を構成する符号１つ１つは、シンボルエレメントに相当する。
【００６１】
離散フーリエ変換部８１３は、そこに入力された信号を離散フーリエ変換し、それを周波数領域の信号に変換する。
【００６２】
サブキャリアマッピング部８１４は、その周波数領域の信号を、指定されたリソースブロックの周波数にマッピングする。
【００６３】
逆高速フーリエ変換部８１５は、そこに入力された信号を逆高速フーリエ変換し、それを時間領域の信号に変換する。
【００６４】
巡回シフト部８１６は、単位ブロックを構成する時間領域の信号を、指定された巡回シフト量だけサイクリックにずらし、単位ブロックに含まれている符号（シンボルエレメント）の並ぶ順序をずらす。
【００６５】
ブロック拡散部８１７は、複数個（N個）の単位ブロックに対して、符号長がNの拡散符号を乗算する。例えば１スロット中にACK/NACKに関して４つの単位ブロックが含まれていたとすると、ブロック拡散部は、その４つの単位ブロックに符号長４の拡散符号系列を乗算する。この場合、１つの単位ブロックについて１つの符号が対応するようにする。
【００６６】
CP付与部８１８は、サイクリックプレフィックス(CP:  Cyclic  Prefix)を用意し、それを入力信号に付加する。
【００６７】
リファレンス信号用の処理ブロック８２０は、リファレンス信号をPUCCHに含めるための処理を行う。
【００６８】
CAZAC符号の生成部８２１はユーザ装置に割り当てられているカザック符号系列を用意する。カザック符号系列は、系列番号で指定される。
【００６９】
離散フーリエ変換部８２３はそこに入力された信号を離散フーリエ変換し、それを周波数領域の信号に変換する。
【００７０】
サブキャリアマッピング部８２４は、その周波数領域の信号を、指定されたリソースブロックの周波数にマッピングする。
【００７１】
逆高速フーリエ変換部８２５は、そこに入力された信号を逆高速フーリエ変換し、それを時間領域の信号に変換する。
【００７２】
巡回シフト部８２６は、単位ブロックを構成する時間領域の信号を、指定された巡回シフト量だけサイクリックにずらし、単位ブロックに含まれている符号（シンボルエレメント）の並ぶ順序をずらす。
【００７３】
ブロック拡散部８２７は、複数個（NRS個）の単位ブロックに対して、符号長がNRSの拡散符号を乗算する。この場合、１つの単位ブロックについて１つの符号が対応するようにする。
【００７４】
CP付与部８２８はサイクリックプレフィックス(CP)を用意し、それを入力信号に付加する。
【００７５】
時間多重部８３０は、ACK/NACKを表す信号とリファレンス信号を時間分割多重し、それを送信信号の無線部（図示せず）に与える。
【００７６】
図９には、CQI推定部９０６及びCQI用の制御情報処理ブロック９１０が描かれている。本実施例では、CQIを示す制御情報は、システム帯域が広い場合、ブロック拡散符号系列を利用してユーザ間で直交多重される。システム帯域が狭い場合、CQIを示す制御情報は、カザック符号系列を利用してユーザ間で直交多重される。
【００７７】
CQI推定部９０６は、下りリファレンスシンボルの受信品質SINRを測定し、そのSINRがどのCQIレベルに属するかを判別することで、CQIを求める。求められたCQIを表すビット系列は、CQI用の制御情報処理ブロック９１０に与えられる。
【００７８】
CQI用の制御情報処理ブロック９１０は、CQIをPUCCHに含めるための処理を行う。
【００７９】
チャネル符号化部９１１は、CQIを表すビット系列に対して誤り訂正符号化を行う。
【００８０】
データ変調部９１２は、誤り訂正符号化後のビット系列をデータ変調する。チャネル符号化方式及びデータ変調方式は、事前に基地局装置から通知されているものとする。
【００８１】
離散フーリエ変換部９１３は、そこに入力された信号を離散フーリエ変換し、それを周波数領域の信号に変換する。
【００８２】
サブキャリアマッピング部９１４は、その周波数領域の信号を、指定されたリソースブロックの周波数にマッピングする。
【００８３】
逆高速フーリエ変換部９１５は、そこに入力された信号を逆高速フーリエ変換し、それを時間領域の信号に変換する。
【００８４】
ブロック拡散部９１７は、複数個(N)の単位ブロックに対して、符号長がNの拡散符号を乗算する。この場合、１つの単位ブロックについて１つの符号が対応するようにする。
【００８５】
CP付与部９１８は、サイクリックプレフィックス(CP)を用意し、それを入力信号に付加する。
【００８６】
なお、システム帯域幅が比較的狭かった場合、図６に示される例では、チャネル状態情報CQIはカザック符号系列を利用してユーザ間で直交多重される。この場合の処理ブロックは、リファレンス信号の処理ブロック８２０と同様になる。
【００８７】
＜基地局装置＞
図１０は本発明の一実施例で使用される基地局装置の機能ブロック図を示す。図１０はPUCCHでACK/NACKを示す制御情報を受信する様子を示す。図１１はPUCCHでCQIを示す制御情報を受信する様子を示す。図９，図１０は別々の基地局装置を示すわけではなく、装置構成としては双方の機能（送達確認情報を処理する機能及びチャネル状態情報を処理する機能）を備えているが、図示の便宜上分けられているにすぎない。図１０，図１１に関し、同様な要素には同じ参照番号が付されている。図１０，図１１に示される要素の各々は機能を示すにすぎず、各機能ブロックの１つ以上が、ハードウエア素子として実現されてもよいし、ソフトウエアで実現されてもよいし、それら双方で実現されてもよい。
【００８８】
図１０には、上りリソース割当情報信号生成部１０２、OFDM信号生成部１０４、同期検出及びチャネル推定部１０６、CP除去部１０８、ブロック逆拡散部１１０、巡回シフト部１１２、高速フーリエ変換部１１４、サブキャリアデマッピング部１１６、逆離散フーリエ変換部１１８、データ復調部１２０、復号部１２２、ACK/NACK判定部１２４が描かれている。
【００８９】
上りリソース割当情報信号生成部１０２は、ユーザ装置が上り物理制御チャネルPUCCHを伝送するのに必要な情報を用意し、OFDM信号生成部１０４に与える。PUCCHを伝送するのに必要な情報は、カザック符号系列を特定する系列番号、カザック符号系列の巡回シフト量、リソースブロック番号、ブロック拡散符号系列を示す情報等が含まれていてよい。
【００９０】
OFDM信号生成部１０４は、下りリンクで伝送する信号を生成し、不図示の無線部にそれを与える。
【００９１】
同期検出及びチャネル推定部１０６は、上りリンクで受信した信号中のリファレンスシンボル(RS)に基づいて、同期検出及びチャネル推定を行う。
【００９２】
CP除去部１０８は、受信信号からサイクリックプレフィックスに相当する部分を除去し、冗長な部分を除いた有効な信号部分を抽出し、複数の単位ブロックを特定する。
【００９３】
ブロック逆拡散部１１０は、特定された複数の単位ブロックにブロック拡散符号を乗算することで、ブロック逆拡散を行う。
【００９４】
巡回シフト部１１２は、PUCCHを送信してきたそのユーザ装置に使用されている巡回シフト量の分だけ、単位ブロック中の符号系列の順序をサイクリックにずらす。ずらす方向はユーザ装置でずらした方向と逆方向である。その結果、巡回シフト部１１２から出力されるビット系列は、巡回シフトしていない状態の情報系列に戻る。
【００９５】
高速フーリエ変換部１１４は、その情報系列を高速フーリエ変換し、周波数領域の信号にする。
【００９６】
サブキャリアデマッピング部１１６は、周波数領域の信号からPUCCHのリソースブロックを取り出す。
【００９７】
逆離散フーリエ変換部１１８は、取り出した信号について逆離散フーリエ変換を行うことで、それを時間領域の信号に戻す。
【００９８】
データ復調部１２０は、ACK又はNACKを表すデータ系列d1,d2,…,d8を含む単位ブロックを見分ける。
【００９９】
復号部１２２は各単位ブロックにカザック符号系列を乗算することで、ユーザ装置が送信したデータ系列d1,d2,…,d8を特定する。
【０１００】
ACK/NACK判定部１２４は、特定されたデータ系列がどのようなビット系列であるかを判別し、それがACKを表すかNACKを表すかを判定する。判定結果により、再送を行うか否かが決定される。再送を要する場合、再送しなければならないパケットを特定し、それがOFDM信号生成部で再びPDSCHに含められる。再送を要しない場合、次の信号が送信される。
【０１０１】
図１１には、CP除去部１２８、ブロック逆拡散部１３０、高速フーリエ変換部１３４、サブキャリアデマッピング部１３６、逆離散フーリエ変換部１３８、データ復調部１４０、復号部１４２が描かれている。
【０１０２】
CP除去部１２８は、受信信号からサイクリックプレフィックスに相当する部分を除去し、冗長な部分を除いた有効な信号部分を抽出し、複数の単位ブロックを特定する。
【０１０３】
ブロック逆拡散部１３０は、特定された複数の単位ブロックにブロック拡散符号を乗算することで、ブロック逆拡散を行う。
【０１０４】
高速フーリエ変換部１３４は、その情報系列を高速フーリエ変換し、周波数領域の信号にする。
【０１０５】
サブキャリアデマッピング部１３６は、周波数領域の信号からPUCCHのリソースブロックを取り出す。
【０１０６】
逆離散フーリエ変換部１３８は、取り出した信号について逆離散フーリエ変換を行うことで、それを時間領域の信号に戻す。
【０１０７】
データ復調部１４０は、CQIを表すデータ系列を含む単位ブロックを見出し、単位ブロック中の符号系列で表現されるビット系列を特定する。
【０１０８】
復号部１４２は特定されたビット系列からCQIの値を導出する。以後このCQIの値に基づいて、下りリンクのスケジューリング等が必要に応じて行われる。
【産業上の利用可能性】
【０１０９】
以上の実施例ではLTEシステムが具体例として挙げられていたが、本発明は特定のユーザの制御情報(CQI)をブロック拡散符号系列で直交多重しながら伝送する適切な如何なる移動通信システムに使用されてもよい。
【０１１０】
以上本発明は特定の実施例を参照しながら説明されてきたが、各実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【０１１１】
【図１】上りリンクで使用されるフレーム構成を示す図である。
【図２】制御情報のサブフレーム構成を示す図である。
【図３】CAZAC符号系列による直交多重法を示す図である。
【図４】ブロック拡散符号系列による直交多重法を示す図である。
【図５】CAZAC符号系列及びブロック拡散符号系列双方による直交多重法を示す図である。
【図６】制御情報及び使用される直交多重法の対応関係を示す図である。
【図７】システム帯域幅の広狭に応じて多重法を変える様子を示す図である。
【図８】本発明の一実施例によりPUCCHでACK/NACKを送信するユーザ装置を示す図である。
【図９】本発明の一実施例によりPUCCHでCQIを送信するユーザ装置を示す図である。
【図１０】本発明の一実施例によりPUCCHでACK/NACKを受信する基地局装置を示す図である。
【図１１】本発明の一実施例によりPUCCHでCQIを受信する基地局装置を示す図である。
【符号の説明】
【０１１２】
８０２  OFDM信号復調部
８０４  下り制御信号復号部
８０６  ACK/NACK判定部
８１０  ACK/NACK用の制御情報処理ブロック
８１１  CAZAC符号の生成部
８１２  ブロック毎の変調部
８１３  離散フーリエ変換部
８１４  サブキャリアマッピング部
８１５  逆高速フーリエ変換部
８１６  巡回シフト部
８１７  ブロック拡散部
８１８  CP付与部
８２０  リファレンス信号用の処理ブロック
８２１  CAZAC符号の生成部
８２３  離散フーリエ変換部
８２４  サブキャリアマッピング部
８２５  逆高速フーリエ変換部
８２６  巡回シフト部
８２７  ブロック拡散部
８２８  CP付与部
８３０  時間多重部
９１０  CQI用の制御情報処理ブロック
９１１  チャネル符号化部
９１２  データ変調部
９１３  離散フーリエ変換部９
９１４  サブキャリアマッピング部
９１５  逆高速フーリエ変換部
９１７  ブロック拡散部
９１８  CP付与部
１０２  上りリソース割当情報信号生成部
１０４  OFDM信号生成部
１０６  同期検出及びチャネル推定部
１０８  CP除去部
１１０  ブロック逆拡散部
１１２  巡回シフト部
１１４  高速フーリエ変換部
１１６  サブキャリアデマッピング部
１１８  逆離散フーリエ変換部
１２０  データ復調部
１２２  復号部
１２４  ACK/NACK判定部
１２８  CP除去部
１３０  ブロック逆拡散部
１３４  高速フーリエ変換部
１３６  サブキャリアデマッピング部
１３８  逆離散フーリエ変換部
１４０  データ復調部
１４２  復号部
【図１】
0005213414.tif 000002
【図２】
0005213414.tif 000003
【図３】
0005213414.tif 000004
【図４】
0005213414.tif 000005
【図５】
0005213414.tif 000006
【図６】
0005213414.tif 000007
【図７】
0005213414.tif 000008
【図８】
0005213414.tif 000009
【図９】
0005213414.tif 000010
【図１０】
0005213414.tif 000011
【図１１】
0005213414.tif 000012